(57)【要約】【課題】  移動体通信端末を所持した利用者の購買意欲を促進すると共に、前記利用者が所在するエリア内でイベント等を催している店舗の集客数を増大させ、結果として当該エリアの地域活性化に寄与することができる抽選システムを提供する。【解決手段】  利用者端末Ａと、店舗端末Ｂと、サーバ１とがネットワーク２を介して接続され、サーバ１は、識別情報を蓄積した利用者情報データベース１５及び店舗情報を蓄積した店舗情報データベース１６を参照して、利用者端末Ａの位置情報を含む店舗群の中のイベント情報が関連付けられた店舗情報を抽出し、その抽出を契機に生成された抽選情報が当選であるか否かを当選情報データベース１４を参照して判定し、当選の場合、当選結果、インセンティブ授与場所が前記抽出された店舗であることを通知する制御手段１２とを有する。【選択図】      図１
2005099931.tif 000002
【特許請求の範囲】
【請求項１】
表示画面を備え、利用者が用いる携帯通信端末と、複数の店舗毎に設置された店舗端末と、前記店舗が提供するイベントに関するイベント情報を前記携帯通信端末に提供するサーバとがネットワークを介して相互に送受信可能とされた抽選システムであって、
前記サーバは、前記利用者を特定するための識別情報を蓄積した利用者情報データベースと、
前記識別情報を伴う携帯通信端末からのアクセスを検知するアクセス受付手段、前記表示画面に前記イベント情報を表示させる表示情報出力手段及び前記携帯通信端末の所在地を示す位置情報を取得する位置情報取得手段を有する通信手段と、
前記店舗が立地する位置情報に基づいて所定の店舗群が設定され、係る店舗群と前記店舗のイベント情報と当該店舗に関する情報とを関連付けた店舗情報を蓄積した店舗情報データベースと、
少なくとも文字列、等級、景品項目及び当選限定数を定めた複数の当選情報を蓄積する当選情報データベースと、
前記店舗情報データベースを参照して、前記携帯通信端末の位置情報を含む店舗群の中のイベント情報が関連付けられた店舗情報を抽出する抽出手段、係る抽出手段によってイベント情報が関連付けられた店舗情報があった場合に抽選情報を生成する抽選情報生成手段及び前記当選情報データベースを参照して前記抽選情報が当選であるか否かを判定し、当選の場合、当選結果及びインセンティブ授与場所が前記抽出された店舗であることを前記識別情報に基づいて該当する携帯通信端末に通知するように前記通信手段に指示する判定手段を有する制御手段と
を有することを特徴とする抽選システム。
【請求項２】
前記抽選情報生成手段は、前記携帯通信端末からのアクセスを契機に乱数を発生し、得られた乱数を抽選情報とすることを特徴とする請求項１に記載の抽選システム。
【請求項３】
前記抽選情報生成手段は、前記利用者が前記サーバにアクセスすることによって、それまで累積加算された累積アクセス数を抽選情報とすることを特徴とする請求項１に記載の抽選システム。
【請求項４】
前記判定結果に基づき前記当選情報データベースに蓄積された当選情報を更新する更新手段が前記制御手段に設けられたことを特徴とする請求項１〜３の何れかに記載の抽選システム。
【請求項５】
前記利用者情報データベースには、利用者毎の購買記録が蓄積されることを特徴とする請求項１〜４の何れかに記載の抽選システム。
【発明の詳細な説明】
【技術分野】
【０００１】
本発明はインターネット等のネットワークを介して利用者が移動体通信端末を用いて景品抽選を行う抽選システムに関するものである。
【背景技術】
【０００２】
従来より、特定又は不特定の利用者がインターネットを利用して抽選に参加することができるｗｅｂサイトが存在する。このｗｅｂサイトは、主に特定のホームページへのアクセス回数を増やす手段として抽選機能を備えたｗｅｂサイトであることが多く、利用者が使用する通信端末と、前記抽選サイトを運営する提供者が使用する抽選サーバとがインターネット等の通信網を介して接続された抽選システムの形態をなしている。
【０００３】
このような抽選システムの中には、前記特定のホームページへのアクセス数を増加させ、即時抽選を実現しながらも、抽選に要する提供者側の負担を軽減するものが数多く提案されているが、当該抽選システムを商品の流通状況を把握するために利用したものも提案されている（例えば、特許文献１参照。）。
【０００４】
この特許文献１に記載された技術は、商品の流通状況を把握するために、商品を購入した利用者が、前記商品に付与された識別情報をサーバに送信することによって当該利用者に抽選等の娯楽を提供すると共に、当該商品の流通状況を解析する情報管理方法に関するものである。
【０００５】
【特許文献１】特開２００３−６７５５２号公報（段落〔０００５〕−〔００１１〕、第１図）
【発明の開示】
【発明が解決しようとする課題】
【０００６】
しかしながら、特許文献１に記載された発明は、商品を購入した利用者の移動体通信端末の位置情報を取得することによって前記商品の流通状況を把握し、その後の商品の販売促進に生かすことはできるが、利用者の購買意欲を促進することはできなかった。また、抽選は前記位置情報を得るために利用者に提供するものとして位置づけられているに過ぎなかった。
【０００７】
本発明は、以上の従来技術における問題に鑑みてなされたものであり、利用者が商品を購入する前に前記利用者の移動体通信端末の位置情報を取得して、前記利用者が商品を購入するために有用な店舗情報を提供することにより、前記利用者の購買意欲を促進させ、有用な情報が提供された店舗の集客数を増大させ、結果として地域活性化に寄与することができる抽選システムを提供することを目的とする。
【課題を解決するための手段】
【０００８】
上記課題を解決するための、請求項１記載の発明に係る抽選システムは、表示画面を備え、利用者が用いる携帯通信端末と、複数の店舗毎に設置された店舗端末と、前記店舗が提供するイベントに関するイベント情報を前記携帯通信端末に提供するサーバとがネットワークを介して相互に送受信可能とされた抽選システムであって、前記サーバは、前記利用者を特定するための識別情報を蓄積した利用者情報データベースと、前記識別情報を伴う携帯通信端末からのアクセスを検知するアクセス受付手段、前記表示画面に前記イベント情報を表示させる表示情報出力手段及び前記携帯通信端末の所在地を示す位置情報を取得する位置情報取得手段を有する通信手段と、前記店舗が立地する位置情報に基づいて所定の店舗群が設定され、係る店舗群と前記店舗のイベント情報と当該店舗に関する情報とを関連付けた店舗情報を蓄積した店舗情報データベースと、少なくとも文字列、等級、景品項目及び当選限定数を定めた複数の当選情報を蓄積する当選情報データベースと、前記店舗情報データベースを参照して、前記携帯通信端末の位置情報を含む店舗群の中のイベント情報が関連付けられた店舗情報を抽出する抽出手段、係る抽出手段によってイベント情報が関連付けられた店舗情報があった場合に抽選情報を生成する抽選情報生成手段及び前記当選情報データベースを参照して前記抽選情報が当選であるか否かを判定し、当選の場合、当選結果及びインセンティブ授与場所が前記抽出された店舗であることを前記識別情報に基づいて該当する携帯通信端末に通知するように前記通信手段に指示する判定手段を有する制御手段とを有することを特徴とする。
【０００９】
係る構成とすることにより、移動体通信端末を所持した利用者が所定のエリア（店舗群からなる商業地域）内に入ったときに、当該エリア内でイベントを催している店舗があれば、その店舗及びイベントに関する情報を利用者端末に提供し、抽選をさせるので、前記利用者の購買意欲を促進させるだけでなく、前記店舗各々の集客数を増大させ、結果として地域活性化に寄与することができる。ここで、前記イベントとは、各店舗が各々の業務形態に則して客に対して行なわれる催事を指し、例えば開催期間を限定したセール等である。
【００１０】
上記課題を解決するための、請求項２記載の発明に係る抽選システムは、請求項１に記載の抽選システムにおいて、前記抽選情報生成手段は、前記移動体通信端末からのアクセスを契機に乱数を発生し、得られた乱数を抽選情報とすることを特徴とする。
【００１１】
上記課題を解決するための、請求項３記載の発明に係る抽選システムは、請求項１に記載の抽選システムにおいて、前記抽選情報生成手段は、前記利用者が前記サーバにアクセスすることによって、それまで累積加算された累積アクセス数を抽選情報とすることを特徴とする。
【００１２】
上記課題を解決するための、請求項４記載の発明に係る抽選システムは、請求項１〜３の何れかに記載の抽選システムにおいて、前記判定結果に基づき前記当選情報データベースに蓄積された当選情報を更新する更新手段が前記制御手段に設けられたことを特徴とする。
【００１３】
上記課題を解決するための、請求項５記載の発明に係る抽選システムは、請求項１〜４の何れかに記載の抽選システムにおいて、前記利用者情報データベースには、利用者毎の購買記録が蓄積されることを特徴とする。
【００１４】
係る構成とすることにより、利用者毎の購買記録が蓄積されるので、利用者は自らの購入履歴を確認することができる。
【発明の効果】
【００１５】
以上、説明したように、本発明記載の請求項１によれば、移動体通信端末を所持した利用者が現在いる場所の近辺に詳しいか否かに関わらず、当該利用者にその近辺の店舗で行われているイベントを有効に提供するだけでなく、抽選に当選した利用者に対して前記イベントに関するインセンティブを与えることができる。また、イベントを催している店舗にあっては、設定されたエリア（店舗群）に訪れた利用者に広く当該イベントに関する情報を提供することができるので、商品の販売促進を向上させることができ、結果として、エリア（店舗群）の地域活性化を促進することができる。また、店舗毎の販売記録やイベント情報が蓄積された店舗情報データベースを設けたので、各店舗が自店の商品の販売状況やイベント開催との関係を容易に把握することができると共に、それらのデータを販売促進の指標となるデータとして有効活用することができる。
【００１６】
また、本発明記載の請求項５によれば、利用者毎の購買記録が蓄積されるので、利用者は自らの購入履歴を確認することができる。
【発明を実施するための最良の形態】
【００１７】
以下に、本発明の実施の形態について図面を参照して説明する。
【００１８】
図１は、本発明に係る抽選システムの一実施の形態における構成を示すブロック図である。
【００１９】
図１に示すように、本発明に係る抽選システムは、複数の利用者が用いる移動体通信端末（以下、利用者端末とする）Ａ（Ａ１，・・・，Ａｎ）と、商品を販売したり、サービスを提供する各店舗に備えられた店舗端末Ｂ（Ｂ１，・・・，Ｂｎ）と、抽選サーバ１（以下、サーバ１とする）とがインターネット等のネットワーク２を介して各種情報を相互に送受信可能に接続されてなる。
【００２０】
利用者端末Ａは、例えばインターネット等に接続可能な携帯電話端末であって、図示はしないが、ネットワーク２を介して送信された情報を表示する表示情報出力手段及び操作することによってその操作内容に係る情報をネットワーク２を介して送信することができる入力手段を有する。また、この利用者端末Ａには、自己の所在地をサーバ１に認識させるためのＧＰＳ（Ｇｌｏｂａｌ  Ｐｏｓｉｔｉｏｎｉｎｇ  Ｓｙｓｔｅｍ）機能が搭載されてもよい。
【００２１】
また、店舗端末Ｂは、各店舗毎に設置され、例えばインターネット等に接続可能な端末であって、図示はしないが、ネットワーク２を介して送信された情報を表示する表示情報出力手段及び操作することによってその操作内容に係る情報をネットワーク２を介して送信することができる入力手段を有する。
【００２２】
サーバ１は、利用者端末Ａに対して送受信を可能とする通信手段１１と、各種情報の生成、管理及び制御を担う制御手段１２とを有している。通信手段１１には、利用者端末Ａの表示画面に抽選に関する情報を表示させる表示情報出力手段１１１と、利用者端末Ａの所在地に関する情報（位置情報）を取得する位置情報取得手段１１２と、利用者端末Ａからのアクセスが来たことを検知し、それを制御手段１２に報知するアクセス受付手段１１３とを有している。
【００２３】
また、制御手段１２は、アクセス受付手段１１３からの報知を受けて抽選情報を生成する抽選情報生成手段１２１と、制御手段１２に接続された当選情報データベース１４に蓄積された複数の当選情報を参照して前記抽選情報が当選か否かを判定する判定手段１２２と、判定手段１２２の結果に基づき当選情報データベース１４に蓄積された当選情報を更新する更新手段１２３と、判定手段１２２による前記抽選情報の判定を契機として利用者端末Ａに識別情報を送信する識別情報取得手段１２４及び店舗情報を抽出する抽出手段１２５とを有している。
【００２４】
そして、送信された識別情報を蓄積する利用者情報データベース１５と、店舗情報データベース１６と、当選情報等を入力するための入力手段１３とが制御手段１２に接続されている。
【００２５】
尚、当選情報データベース１４及び利用者情報データベース１５の少なくともいずれかは、サーバ１の内部に設置されずにサーバ１の外部にあってサーバ１に送受信可能に接続されてもよく、複数設けられてもよい。
【００２６】
また、当選情報データベース１４に蓄積される当選情報は、例えば、「当選文字列」及びそれに付随する「等級」項目からなるテーブル情報であり、イベント内容が限定数のある商品等であった場合などの必要に応じて、「景品限定数」項目を含んでもよい。そして、それらの情報に限られることなく、利用者端末Ａから送信される利用者の要望に応答可能なように様々なカテゴリに選別された情報として予め蓄積されている。
【００２７】
また、利用者情報データベース１５に蓄積される利用者情報は、利用者毎の個別情報であり、利用者の氏名、住所、性別、連絡先、識別情報としてのＩＤ番号及び当該利用者が所定の店舗において過去に購入した商品の購入履歴が関連付けられて蓄積されている。
【００２８】
また、店舗情報データベース１６に蓄積される店舗情報は、「店舗固有」の情報、当該店舗が所属する区画を示す「所属エリア」情報及び「イベント」情報を有してなり、「店舗固有」の情報とは、例えば、「店舗名」、「店舗の具体的な営業内容」、「店舗の所在地」及び「店舗への連絡先」を有する。また、「所属エリア」情報とは、予め分類された地理上のどの区画に当該店舗が立地しているのかを示すものである。
【００２９】
ここで、前記サーバ１に設けられた各手段について以下に説明する。以下に記載された各種手段は必要に応じて当選情報データベース１４、利用者データベース１５及び店舗情報データベース１６に蓄積された各種情報を参照しながら処理を行うものとする。
【００３０】
（通信手段）
通信手段１１は、サーバ１内で処理された各種情報をインターネット等のネットワーク２を介して利用者端末Ａに対し送信したり、利用者端末Ａから送信された各種情報を受信する手段である。また、この通信手段１１はサーバ１に設けられた制御手段１２の要求を受けて各種情報を送受信するものである。
【００３１】
（表示情報出力手段）
表示情報出力手段１１１は、サーバ１内で処理された各種情報を、例えばＨＴＴＰ（Ｈｙｐｅｒ  Ｔｅｘｔ  Ｔｒａｎｓｆｅｒ  Ｐｒｏｔｏｃｏｌ）等を用いてインターネット等のネットワーク２に接続した利用者端末Ａの表示画面上で閲覧できるようにする手段である。
【００３２】
（位置情報取得手段）
位置情報取得手段１１２は、予め識別情報を取得した利用者端末Ａの位置を経時的に特定する手段であり、公知の位置情報検出技術が用いられる。例えばそれはＧＰＳ機能が具備された利用者端末Ａを利用することによって利用者端末Ａの位置を特定してもよいし、ＧＰＳを用いずとも、利用者端末Ａの基地局を仮想の衛星に見立て、複数の基地局から前記識別情報に基づいて利用者端末Ａに対して送信される電波の伝搬時間差を測定し、基地局の座標値を参照して、三辺測量の原理に基づいて測位する方法を採用してもよい。ここで、基地局からの到来波には、周辺地物の影響によって、測位誤差の原因となる遅延波が含まれているので、これら遅延波に埋没した直接波の検出をすることで、移動体通信端末の高い測位精度を実現することもできる。
【００３３】
（アクセス受付手段）
アクセス受付手段１１３は、利用者端末Ａがサーバ１に対してアクセスした際に、そのアクセスを検知する手段である。そしてこのアクセス受付手段１１３は、利用者端末Ａからのアクセスを検出したときに、制御手段１２の抽選情報生成手段１２１に対して抽選情報の生成を指示する手段である。
【００３４】
また、前述したように、制御手段１２は、各種情報の生成、管理及び制御を担う手段であり、具体的に、アクセス受付手段１１３からの報知を受けて抽選情報を生成する抽選情報生成手段１２１と、制御手段１２に接続された当選情報データベース１４に蓄積された複数の当選情報を参照して前記抽選情報が当選か否かを判定する判定手段１２２と、係る判定手段１２２の結果に基づき前記当選情報データベース１４に蓄積された当選情報を更新する更新手段１２３と、判定手段１２２による前記抽選情報の判定を契機として利用者端末Ａに識別情報を送信する識別情報取得手段１２４と、送信された識別情報を蓄積する利用者情報データベース１５とを有してなる。また、制御手段１２には、当選情報等を入力するための入力手段１３が接続されている。
【００３５】
（抽選情報生成手段）
抽選情報生成手段１２１は、利用者端末Ａに対して発行する抽選情報を生成する手段である。例えば、利用者端末Ａから通信手段１１に対してアクセスがあった場合に、そのアクセスを後述するアクセス受付手段１１３が検知し、抽選情報生成手段１２１に抽選の実行を指示する。すなわち、抽選情報生成手段１２１は、利用者端末Ａからサーバ（詳しくはサーバ１内の通信手段１１に設けられたアクセス受付手段１１３）に対してアクセスがあったことを契機として抽選を行う手段である。
【００３６】
ここで、抽選情報生成手段１２１は、例えば乱数発生器やカウントアップ器であり、前述したように、前記アクセス受付手段への利用者端末Ａからのアクセスを契機として乱数を発生、出力させたり、アクセス受付手段１１３へのアクセスを順次数えた数値を出力するものである。
【００３７】
（判定手段）
判定手段１２２は、抽選情報生成手段１２１が生成した抽選情報が、当選情報データベース１４内に蓄積されているか否かを判定する手段である。尚、当選情報データベース１４に蓄積された当選情報は、予め（利用者端末Ａからのアクセスが発生する前）サーバ１を管理する管理者又は抽選を主催する主催者によって当該当選情報データベース１４内に入力される情報である。
【００３８】
（更新手段）
更新手段１２３は、判定手段１２２によって判定された抽選情報及び当選情報の結果を受けて当選情報データベース１４内を更新する手段である。具体的には、前述したように、前記当選情報は、当選情報の態様を示す文字列に関する情報、「等級」に加え、イベント内容が景品の授受や限られた数の商品とすることによる、当選の制限条件（インセンティブとして提供する商品の限定数等）を有していた場合、利用者端末Ａがサーバ１にアクセスすることによって抽選情報が生成され、その生成された抽選情報と、当選情報データベース１４内に蓄積された当選情報とが判定手段１２２によって判定された結果、「当選」と判定された場合には、利用者に提供するインセンティブを調整しなければならない。このような調整を行う手段として更新手段１２３が設けられているのである。
【００３９】
（識別情報取得手段）
識別情報取得手段１２４は、サーバ１にアクセスしてきた利用者端末Ａを用いている利用者の個別情報を固有の識別情報として利用者情報データベース１５に蓄積するために、サーバ１への識別情報の送信を利用者端末Ａに対して要求する手段である。
【００４０】
（抽出手段）
抽出手段１２５は、店舗情報データベース１６を参照して、利用者端末Ａの位置情報を含むエリア（店舗群）の中のイベント情報が関連付けられた店舗情報を抽出する手段である。具体的には、利用者端末Ａの所在地が位置情報取得手段１１１によって認識された際に、その認識された位置情報を含むエリア（店舗群）の中にイベントを催している店舗があるか否かについて店舗情報データベース１６内を検索し、該当する店舗情報を出力する手段である。
【００４１】
（集計手段）
また、図示はしないが、利用者の抽選結果情報に基づきインセンティブ提供のためのポイントを集計する手段として集計手段をサーバ１に設けてもよい。尚、ここでいうインセンティブとは、判定手段１２２が「当選」、すなわち抽選情報生成手段１２１によって生成された抽選情報が、当選情報データベース１４に蓄積された任意の当選情報に合致した場合に、利用者に贈答する景品やサービス等のイベントやポイントを指し、ポイントの場合、その累積数に応じて利用者に提供される有体、無体に関わらない商品を指す。
【００４２】
（分析手段）
さらに、図示はしないが、識別情報取得手段１２４によって得られ、利用者情報データベース１５に蓄積された利用者の個別情報として、年齢層、性別、利用地域及び好み（嗜好性）等を分析することによって前記インセンティブの内容等の検討にフィードバックできる分析手段をサーバ１に設けてもよい。そして前記分析手段によって得られたデータは店舗情報データベース１６に関連付けられて蓄積されることが望ましい。このようにすることで、各店舗は、利用者の嗜好性等を単にアンケートするよりも実質的な分析結果を得ることができる。
【００４３】
（変換手段）
加えて、本発明に係る抽選システムの他の実施形態として、抽選情報生成手段１２によって生成された抽選情報が当選情報データベース１４に蓄積された当選情報に合致するか否かに関わらず、利用者端末Ａにその結果を送信する際、判定結果を特定することができる情報をバーコード情報等に変換する変換手段（図示せず）を設けてもよい。この変換手段を採用することによって、変換後、送信された情報が利用者端末Ａの表示画面に表示され、その表示された内容を各店舗に設置された読み取り装置等で読み込んで、抽選結果（判定結果）の取得を行うことができる。
【００４４】
次に、本発明に係る抽選システムの一実施形態における動作について図面を参照して以下に説明する。
図２及び図３は、本発明に係る抽選システムの一実施形態におけるサーバ１の動作を示すフローチャートである。また、図４は、本発明に係る抽選システムの一実施形態における店舗情報の内容を示す図であり、図５は本発明に係る抽選システムの一実施形態における利用者の所在地、各店舗及びエリア（店舗群）の関係を示す概略図である。また、図６〜１０は、本発明に係る抽選システムの一実施形態における利用者端末Ａの表示画面に表示される内容を示す図である。尚、以下では、図２〜図３を中心に説明し、必要に応じて、図４、図５及び図７〜図１０を参照しながら説明する。
【００４５】
(初期設定)
まず、初期設定として、１つ以上の当選情報を入力手段１３を用いて当選情報データベース１４に入力する。このとき入力される当選情報は、任意の当選文字列に加えて、１等、２等などの「等級」を設定するものとする。また、必要であれば、各等級毎に各等級の当選回数を制限する制限条件を設けてもよい。尚、ここでいう文字列とは、例えば英数字、漢字及び仮名文字のいずれかを含む連続した文字の羅列を指し、２つ以上の文字列の間であれば空白（スペース）も含まれるものとする。
【００４６】
（ユーザ登録）
また、本実施形態では、利用者が予めサーバ１に対してユーザ登録するものとする。本実施形態におけるユーザ登録過程は、予め識別子等が付加された利用者端末Ａからのアクセスをアクセス受付手段１１３が検知したことを契機に、制御手段１２が識別情報の入力を当該利用者端末Ａに要求して、その結果得られた識別情報を利用者情報データベース１５に蓄積することによって行われる。このとき識別情報として得られる内容は、例えば、「氏名」、「住所」、「電話番号」、「メールアドレス」、「性別」及び「生年月日」であり、これらよりなる識別情報を前記利用者端末Ａに要求する画面は、図６に示す画面１６００である。
【００４７】
図６に示すように、利用者登録画面１６００は、一例として「氏名」項目１６１０、「住所」項目１６２０、「電話番号」項目１６３０、「メールアドレス」項目１６４０、「性別」項目１６５０、「生年月日」項目１６６０、「中止」ボタン１６７０及び「送信」ボタン１６８０が設けられており、利用者端末Ａの入力手段によって上記各項目に入力されたそれぞれの情報は前記「送信」ボタン１６８０を利用者が選択することによってアクセス受付手段１１３が受信したことを契機にして、制御手段１２が識別情報取得手段１２４に対して利用者毎に識別情報としてのＩＤ番号等を関連付けさせ、利用者情報データベース１５に蓄積する。また、図６における「中止」ボタン１６７０を利用者が選択した場合には、そのままユーザ登録過程を終了する。
【００４８】
ここで、利用者端末Ａからのアクセスは、所定の店舗等で利用者が商品を購入する際に発行されるレシートにサーバ１にアクセスするためのＵＲＬを記載することによって利用者に促される態様としてもよい。
【００４９】
また、店舗情報データベース１６には、店舗端末Ｂからサーバ１に対して予め送信された自店舗に関する店舗情報が蓄積されている。店舗情報は具体的に、図４に示すように、「店舗名」情報、「業務内容」情報及び「店舗所在地」情報と、予め区画設定した複数のエリアを参照して前記「店舗所在地」がどのエリアに属するのかを示す「所属エリア」情報と、いつ、どこでイベントが催されるのかを示す「イベント」情報とからなる。ここで、店舗情報データベース１６に前記店舗情報が蓄積されるプロセスとしては、入力手段１３を用いて入力してもよいし、識別子等が予め付加された店舗情報が店舗端末Ｂからサーバ１に送信されたときに、前記識別子等をアクセス受付手段１１３が検知したことを契機に制御手段１２が店舗情報データベース１６に蓄積するようにしてもよい。
【００５０】
また、前記「所属エリア」情報には、当該エリア内に設置された、利用者端末Ａが情報通信のために中継する基地局に関する情報が関連付けられている。前記「所属エリア」情報とは、具体的には、図５に示すように、地理上の区画としてＷ地区、Ｘ地区、Ｙ地区及びＺ地区（図では、説明上、ハッチングによって区別してある。）といったように、予め任意に区画分けされていたとすると、店舗Ｂ１はＷ地区、店舗Ｂ２はＸ地区、店舗Ｂ３〜Ｂ５はＹ地区、店舗Ｂ６はＺ地区といったように関連付けられる情報である。ここで、予め設定された商業エリアの区画領域を以下「エリア」（又は店舗群）と称するものとする。
【００５１】
（利用者の現在地情報取得）
以上のように、初期設定としてユーザ登録が行われ、図５に示すように、Ｗ地区、Ｘ地区、Ｙ地区及びＺ地区と区画分けされた各エリアのそれぞれに店舗Ｂ１〜Ｂ６が点在し、それぞれの店舗に関する情報が店舗情報として店舗情報データベース１６に蓄積された後、位置情報取得手段１１２が、利用者端末Ａを所持した利用者の位置情報を取得する（Ｓ１）。ここで、利用者端末Ａの位置を検出する方法は、前述したように、ＧＰＳ機能が具備された利用者端末Ａの位置を前記識別情報に基づいて位置情報取得手段１１２によって特定する方法や、複数の基地局から前記識別情報に基づいて利用者端末Ａに対して間欠的に送信された電波の伝搬時間差を測定することによって利用者端末Ａの位置を特定する方法が採用される。そして、位置情報取得手段１１２は、前記「所属エリア」情報を参照して、利用者端末Ａの位置がどのエリアに属するのかを特定する。すなわち、位置情報取得手段１１２は、取得した利用者端末Ａの詳細な位置情報を「Ｘ地区内に入った」という形で検知するのである。
【００５２】
（店舗情報の抽出）
そして、抽出手段１２５は、位置情報取得手段１１２が利用者端末Ａの所在地をＸ地区内に捉えた日時を元に、利用者が所在するＸ地区内でイベントを開催している店舗があるか否かについて店舗情報データベース１６内を検索する（Ｓ２）。本実施形態においては、図４に示すように、店舗Ｂ１〜Ｂ５がイベントを行っており、Ｚ地区に立地する店舗Ｂ６はイベントを行っていないので、抽出手段１２５によって抽出されることはない。（従って、利用者端末Ａに表示される画面（後述）の元データとなる図４には店舗Ｂ６は表示されない。）
【００５３】
（利用者への報知）
そして、利用者が所在するエリアでこれからイベントを開催するか開催している店舗（少なくとも同日中で、位置情報取得手段１１２が利用者端末Ａを検知した時刻以後にイベントを開催する店舗）があった場合（Ｓ３−Ｙｅｓ）、すなわち図４において利用者が所在するＸ地区内に立地している店舗Ｂ２がイベントを催していた場合に、同エリアにイベントを開催している店舗（Ｂ２）が存在することを、前記識別情報に含まれるメールアドレスを参照して当該利用者端末Ａに報知する（Ｓ４）。具体的には、利用者端末Ａの画面に図７（ａ）に示す画面が表示されることによって利用者に報知されるのである。
【００５４】
図７（ａ）に示すように、利用者端末Ａにイベント開催の報知がされる画面１０００では、利用者が所在するエリア内にイベントを催している店舗があることを示す表記に加え、「ルール」ボタン１０１０、「イベント一覧」ボタン１０２０、「参加申込」ボタン１０３０及び「参加しない」ボタン１０４０が表示されている。「ルール」ボタン１０１０は、本実施形態を利用者に説明するためのものであり、画面上で選択（クリック）することにより、本実施形態の説明画面（図示せず）が表示される。また、「イベント一覧」ボタン１０２０を選択（クリック）すれば（Ｓ５）、抽出手段１２５で抽出された店舗情報（図４参照）が利用者端末Ａに送信される（Ｓ６）。このとき、利用者端末Ａに表示される画面が、図７（ｂ）に示す「イベント一覧」画面１１００である。
【００５５】
この「イベント一覧」画面１１００には、抽出手段１２５が抽出した店舗情報が項目１１１０として表示され、この項目１１１０には、前記抽出手段１２５が抽出した店舗情報のうち、「簡単な所在地」情報１１１１、店舗名情報１１１２、「店舗の詳細表示」ボタン１１１３及び利用者の現在位置と前記抽出手段１２５が抽出した店舗との位置関係を示す「全てを地図で表示」ボタン１１１４が表示される。また、「参加申込」ボタン１１２０及び「参加しない」ボタン１１３０も表示される。
【００５６】
この「全てを地図で表示」ボタン１１１４を選択（クリック）することにより、利用者端末Ａに表示される画面が図７（ｃ）に示す画面１２００である。図７（ｃ）に示すように、この画面１２００には、利用者が所在するエリア全体の地図表示（図はＸ地区を地図表示している。）における、前記抽出手段１２５が抽出した店舗（図中Ｂ２）の位置と、利用者の現在地とが表示されると共に、前記抽出手段１２５が抽出した店舗（図中Ｂ２）のイベントメッセージ１２１０が表示される。そしてこの画面１２００でも、「参加申込」ボタン１２２０及び「参加しない」ボタン１２３０が表示される。
【００５７】
ここで、「全てを地図で表示」ボタン１１１４は、利用者の現在位置と前記抽出手段１２５が抽出した店舗との位置関係の掌握に限られず、前記抽出手段１２５が抽出した店舗が複数ある場合にはそれらと利用者との相対的な位置関係が表示される点で有用である。尚、前記抽出手段１２５が抽出した店舗が複数ある場合については後述する。
【００５８】
図７（ａ）の画面１０００において「参加申込」ボタン１０３０を選択（クリック）するか、前記説明画面上の「参加申込」ボタン（図示せず）を選択（クリック）するか、図７（ｂ）の「イベント一覧」画面１１００において「参加申込」ボタン１１２０を選択（クリック）するか、図７（ｃ）の画面１２００において「参加申込」ボタン１２２０を選択（クリック）した場合には、利用者にイベント参加の意思があるとみなされ（Ｓ７−Ｙｅｓ）、参加申込画面を利用者端末Ａに送信する（Ｓ９）。
【００５９】
一方、利用者端末Ａからイベントを参照する要求がない、すなわち画面１０００において「イベント一覧」ボタン１０２０及び「参加申込」ボタン１０３０を選択（クリック）せず（Ｓ５−Ｎｏ）、かつ、「参加しない」ボタン１０４０及び前記説明画面上の「参加しない」ボタン（図示せず）を選択（クリック）した場合（Ｓ７−Ｎｏ）又は、図７（ｂ）の「イベント一覧」画面１１００において「参加しない」ボタン１１３０を選択（クリック）するか、図７（ｃ）の画面１２００において「参加しない」ボタン１２３０を選択（クリック）した場合には、利用者にイベント参加の意思がないとみなされる（Ｓ７−Ｎｏ）ので、終了画面（図示せず）を利用者端末Ａの画面に表示し（Ｓ８）、再び利用者端末Ａの新たな所在地検知の待機状態となる。ここで、新たな所在地検知とは、図５を参考にすると、Ｘ地区にいた利用者が他のＷ地区、Ｙ地区及びＺ地区のいずれかに入ったことを位置情報取得手段１１２が検知することである。
【００６０】
また、利用者が所在するエリアにイベントを開催している店舗がなかった場合（Ｓ３−Ｎｏ）には、改めて利用者端末Ａの所在地を再検知、具体的には当該利用者端末Ａの所在がＸ地区からＷ地区へというように変わったことを検知するまで利用者への店舗情報の報知を行わない。また、利用者端末Ａから参加申込画面の表示要求がない間は、その表示要求が行われるまで待機し、必要に応じて利用者端末Ａにおける無入力状態が所定の時間経過したことによる自動切断を採用してもよい。
【００６１】
次に、Ｓ９によって、利用者端末Ａに送信される参加申込画面は図８（ａ）に示すように、画面１３００に、前記抽出手段１２５が抽出した店舗情報のうち、簡単な所在地と店舗名とを表示した項目１３１０、この項目１３１０を選択するためのチェックボックス１３１１、「抽選に参加申込」ボタン１３２０及び「参加しない」ボタン１３３０が表示される。そして、「抽選に参加申込」ボタン１３２０を選択（クリック）する（Ｓ１０−Ｙｅｓ）ことによって、抽選情報生成手段１２１が抽選を行う（Ｓ１１）。また、「参加しない」ボタン１３３０が選択（クリック）された（Ｓ１０−Ｎｏ）ときも前述のＳ３−Ｎｏと同様、改めて利用者端末Ａの所在地を再検知するまで利用者への店舗情報の報知を行わない。
【００６２】
ここで、前記抽出手段１２５が抽出した店舗が複数ある場合（例えば、利用者がＸ地区からＹ地区に移動したと想定）には、図１０（ａ）に示すように、「イベント一覧」画面１１００に、前記抽出手段１２５が抽出した複数の店舗情報について、「簡単な所在地」情報１１１１、店舗名情報１１１２及び「店舗の詳細表示」ボタン１１１３が列挙され、利用者の現在位置と前記抽出手段１２５が抽出した店舗との位置関係を示す「全てを地図で表示」ボタン１１１４が表示される。
【００６３】
そして、「全てを地図で表示」ボタン１１１４を選択（クリック）することにより、利用者端末Ａに表示される画面が図１０（ｂ）に示す画面１２００である。図１０（ｂ）に示すように、この画面１２００には、利用者が所在するエリア全体の地図表示（図はＹ地区を地図表示している。）における、前記抽出手段１２５が抽出した店舗（図中Ｂ３〜Ｂ５）の位置と、利用者の現在地とが表示されると共に、前記抽出手段１２５が抽出した店舗（図中Ｂ３〜Ｂ５）のイベントメッセージ１２１０がそれぞれ表示される。そしてこの画面１２００でも、「参加申込」ボタン１２２０及び「参加しない」ボタン１２３０が表示される。
【００６４】
その後、Ｓ９によって、利用者端末Ａに送信される参加申込画面は図１０（ｃ）に示すように、画面１３００に、前記抽出手段１２５が抽出した複数の店舗（図中Ｂ３〜Ｂ５）情報のうち、簡単な所在地と店舗名とを表示した項目１３１０、この項目１３１０を選択するためのチェックボックス１３１１、「抽選に参加申込」ボタン１３２０及び「参加しない」ボタン１３３０が列挙表示される。そして、「抽選に参加申込」ボタン１３２０を選択（クリック）する（Ｓ１０−Ｙｅｓ）ことによって、抽選情報生成手段１２１が抽選を行う（Ｓ１１）。また、「参加しない」ボタン１３３０が選択（クリック）された（Ｓ１０−Ｎｏ）ときも前述のＳ３−Ｎｏと同様、改めて利用者端末Ａの所在地を再検知するまで利用者への店舗情報の報知を行わない。
【００６５】
（抽選情報の生成）
抽選情報生成手段１２によって生成された抽選情報は、当選情報データベース１４に予め蓄積された当選番号と合致するか、すなわち抽選情報生成手段１２によって生成された抽選情報が当選情報データベース１４内に蓄積されているかを判定手段１２２に判定させる。そして、その判定結果に関する情報は表示情報出力手段１１１によって利用者端末Ａに送信され（Ｓ１２）、前記抽選情報と当選情報とが合致しなければ、図８（ｃ）に示す画面を表示する。この画面には、「はずれ」であることを示すメイン画面１５００に、続けて抽選を行うことを利用者が望んだ場合に選択（クリック）する「続ける」ボタン１５１０及びもう抽選を行わないことを利用者が望んだ場合に選択（クリック）する「やめる」ボタン１５２０が表示される。
【００６６】
（当選）
前記抽選情報と当選情報とが合致した場合は、その判定結果に関する情報が表示情報出力手段１１１によって利用者端末Ａに送信され、図８（ｂ）に示すように、「あたり」であることを示すメイン画面１４００が表示される（Ｓ１１）。このメイン画面１４００には、どのようなイベントについて当選したのかを説明するメッセージ（前記イベントメッセージ１２１０と同じ）１４１０と、続けて抽選を行うことを利用者が望んだ場合に選択（クリック）する「続ける」ボタン１４２０と、もう抽選を行わないことを利用者が望んだ場合に選択（クリック）する「やめる」ボタン１４３０と、必要に応じて当選したことを所定の画像情報に変換する必要がある場合（メッセージ１４１０に記載）に選択（クリック）する「バーコード表示」ボタン１４４０が表示される。尚、バーコード表示等が必要ではなく、当選したことによって等級毎のキーワード等を「バーコード表示」ボタン１４４０の代わりに表示してもよい。
【００６７】
ここで、利用者端末Ａから返信があり（Ｓ１３−Ｙｅｓ）、利用者端末Ａからの返信として続行の選択がなされた場合（図８（ｂ）の「続ける」ボタン１４２０又は図８（ｃ）の「続ける」ボタン１５１０を選択した場合）には、再び抽選過程を行い、利用者端末Ａからの返信として終了の選択がなされた場合（図８（ｂ）の「やめる」ボタン１４３０又は図８（ｃ）の「やめる」ボタン１５２０を選択した場合）や、利用者端末Ａから返信が所定時間経過してもなかった場合（Ｓ１３−Ｎｏ）には、そのまま終了する。
【００６８】
そして、利用者に関する情報として、抽選結果に関する情報が利用者情報データベース１５に蓄積（Ｓ１４）され、必要に応じて当選情報データベース１４に蓄積された当選情報が更新手段１２３によって更新される（Ｓ１５）と共に、図９に示すような、これまでの抽選履歴等を示す画面１７００を前記集計手段及び分析手段を用いて利用者端末Ａの表示画面に表示して終了する。この表示画面１７００には、「当選率」１７１０、「本日のポイント」１７２０、「本日のボーナス」１７３０及び「現在のポイント合計」１７４０が表示され、さらには、「バーコード受信」ボタン１７５０が表示されている。ここで、前記「得点」や「ボーナス」等の抽選の当否以外の情報は各店舗で任意設定されるものである。このように、利用者データベース１５に利用者毎の抽選結果、イベント参加や、購入履歴を蓄積し、必要に応じて前記集計手段や分析手段等による集計や分析を行い、利用者端末Ａや店舗端末Ｂから閲覧可能とすることにより、利用者は過去のイベントに関する履歴を参照ででき、店舗にあっては、利用者の嗜好性等を単にアンケートするよりも実質的な分析結果を得ることができる。
【００６９】
また、前記抽選の結果、当該利用者が当選する都度、図９の画面上の「バーコード表示」ボタン１４４０を選択することにより、当選内容（等級）に応じて設定されたインセンティブに関する情報としてのバーコードを前記変換手段によって変換し、利用者端末Ａの画面に表示してもよい。具体的には、このバーコードを前記抽選対象の店舗に設置された読み取り装置（図示せず）等で読み取って、該当するインセンティブと交換する。これは、累積されたポイントについても同様で、図９の画面上の「バーコード表示」ボタン１７５０を選択することにより、ポイント数に応じたインセンティブに関する情報をバーコード等の態様で利用者端末Ａの画面に表示させ、店舗にて該当するインセンティブと交換する。
【００７０】
このようにして抽選を行い、当選した利用者は、その当選したときの当選内容（等級）に応じて表示されたキーワードやバーコード、利用者登録を行うことによって累積されたポイント等を得ることにより店舗毎のインセンティブを受ける権利を得るのである。
【００７１】
以上により、移動体通信端末を所有した利用者が現在いる場所の近辺に詳しいか否かに関わらず、当該利用者にその近辺の店舗で行われているイベントを有効に提供するだけでなく、抽選に当選した利用者に対して前記イベントに関するインセンティブを与えることができる。また、イベントを催している店舗にあっては、設定されたエリア（店舗群）に訪れた利用者に広く当該イベントに関する情報を提供することができるので、商品の販売促進を向上させることができ、結果として、エリア（店舗群）の地域活性化を促進することができる。また、店舗毎の販売記録やイベント情報が蓄積された店舗情報データベースを設けたので、各店舗が自店の商品の販売状況やイベント開催との関係を容易に把握することができると共に、それらのデータを販売促進の指標となるデータとして有効活用することができる。
【００７２】
さらに、本実施形態においては、以上に説明した抽選システムの動作をプログラムとして構成し、サーバ１の制御手段１２に組み込んでもよいし、そのプログラムを記録媒体に記録し、その記録媒体の内容をサーバ１（制御手段１２）に読みとらせ、実行させるものであってもよい。
【００７３】
加えて、本発明に係るサーバが各店舗に設置されることによって、当選情報データベース１４に蓄積される当選情報の自由度を高め、店舗情報データベース１６に蓄積される店舗情報の簡素化を高めることも可能である。
【図面の簡単な説明】
【００７４】
【図１】本発明に係る抽選システムの一実施形態における構成を示すブロック図。
【図２】本発明に係る抽選システムの一実施形態におけるサーバの動作を示すフローチャート。
【図３】本発明に係る抽選システムの一実施形態におけるサーバの動作を示すフローチャート。
【図４】本発明に係る抽選システムの一実施形態における店舗情報の内容を示す図。
【図５】本発明に係る抽選システムの一実施形態における利用者の所在地、各店舗及びエリア（店舗群）の関係を示す概略図。
【図６】本発明に係る抽選システムの一実施形態における利用者端末の表示画面を示す図。
【図７】本発明に係る抽選システムの一実施形態における利用者端末の表示画面を示す図。
【図８】本発明に係る抽選システムの一実施形態における利用者端末の表示画面を示す図。
【図９】本発明に係る抽選システムの一実施形態における利用者端末の表示画面を示す図。
【図１０】本発明に係る抽選システムの他の実施形態における利用者端末の表示画面を示す図。
【符号の説明】
【００７５】
１  サーバ
２  ネットワーク
１１  通信手段
１２  制御手段
１３  入力手段
１４  当選情報データベース
１５  利用者情報データベース
１６  店舗情報データベース
１１１  表示情報出力手段
１１２  位置情報取得手段
１１３  アクセス受付手段
１２１  抽選情報生成手段
１２２  判定手段
１２３  更新手段
１２４  識別情報取得手段
１２５  抽出手段
Ａ  利用者端末
Ｂ  店舗端末
【図１】
2005099931.tif 000003
【図２】
2005099931.tif 000004
【図３】
2005099931.tif 000005
【図４】
2005099931.tif 000006
【図５】
2005099931.tif 000007
【図６】
2005099931.tif 000008
【図７】
2005099931.tif 000009
【図８】
2005099931.tif 000010
【図９】
2005099931.tif 000011
【図１０】
2005099931.tif 000012